(57)【要約】【課題】  実際に撮影した累積撮影駒数と目標撮影駒数との乖離を容易に把握することができ、キメ細かく撮影駒数の目標管理を行うことのできる撮像装置を提供する。【解決手段】  所定期間内における目標撮影駒数を設定する設定手段（２４）と、実際に撮影した累積撮影駒数を記録する記録手段（１５）と、上記記録手段に記録された累積撮影駒数の、上記設定手段により設定された目標撮影駒数に対する達成度を認識可能にする情報を表示する表示手段（２０）とを備えた撮像装置である。【選択図】    図２
2006243274.tif 000002
【特許請求の範囲】
【請求項１】
所定期間内における目標撮影駒数を設定する設定手段と、
実際に撮影した累積撮影駒数を記録する記録手段と、
上記記録手段に記録された累積撮影駒数の、上記設定手段により設定された目標撮影駒数に対する達成度を認識可能にする情報を表示する表示手段と、
を備えたことを特徴とする撮像装置。
【請求項２】
上記設定手段は、撮影被写体の態様又は撮影構図又は撮影条件を分類したカテゴリー毎に目標撮影駒数を設定することを特徴とする請求項１に記載の撮像装置。
【請求項３】
上記表示手段は、上記累積撮影駒数及び上記目標撮影駒数を、数字又はグラフにより表示することを特徴とする請求項１に記載の撮像装置。
【請求項４】
上記表示手段は、上記累積撮影駒数の上記目標撮影駒数に対する達成率を表示することを特徴とする請求項１に記載の撮像装置。
【請求項５】
上記表示手段は、上記累積撮影駒数の上記目標撮影駒数に対する達成度に応じて予め決められた色を所定部位に表示することを特徴とする請求項１に記載の撮像装置。
【請求項６】
予め設定された所定期間内における目標撮影駒数と、実際に撮影した累積撮影駒数とから、上記累積撮影駒数の上記目標撮影駒数に対する達成度を認識可能にする情報を表示して目標管理を行うことを特徴とする撮影駒数による目標管理方法。
【発明の詳細な説明】
【技術分野】
【０００１】
本発明は、実際に撮影した累積撮影駒数と目標撮影駒数との乖離を容易に把握することができ、キメ細かく撮影駒数の目標管理を行うことのできる撮像装置及び目標管理方法に関する。
【背景技術】
【０００２】
写真撮影のプロを目指すために、あるいは撮影技術を磨くために、毎月の撮影目標枚数を設定して撮影を続ける場合がある。従来、銀塩カメラを用いた場合には、撮影枚数を累積して把握することは煩雑であるため、撮影に使用したフィルム本数を把握することで、感覚的に撮影枚数を把握していた。
【０００３】
特許文献１には、撮影枚数などの稼働情報を収集し、記録メディアに記録するデジタルスチルカメラ（ＤＳＣ）が開示されている。ここで、上述の稼動情報には、稼働状態を表す例えば総撮影回数や各種の撮影モード毎の利用回数、ストロボ使用回数等が含まれている。
【０００４】
これらの稼働情報は顧客がＤＰＥ受付店へ写真処理を依頼する際に記録メディアから読み出され、通信網を介してデータセンタへ転送されて写真関連情報に記憶される。カメラメーカは製造しているＤＳＣに対応する稼働情報をデータセンタから定期的に受信し、受信した稼働情報をＤＳＣの機種毎に集計して分析することでＤＳＣの改良や次機種の開発に利用する。
【特許文献１】特開２００４−９６７１８号公報
【発明の開示】
【発明が解決しようとする課題】
【０００５】
しかしながら、特許文献１に記載された技術は累積撮影駒数をカウントするが、それを自己のカメラに表示するものではないため撮影者が利用することができなかった。しかし、累積撮影駒数を表示する場合でも、累積撮影駒数を表す数字のみを表示するだけでは、撮影者は実際に撮影した累積撮影駒数と目標撮影駒数との乖離を容易に把握することはできない。
【０００６】
また撮影者は、単に総撮影駒数を管理するだけでなく、被写体、撮影構図、撮影条件ごとにキメの細かい目標管理を希望する場合があるが、特許文献１に記載された技術ではこの要望にこたえることができない。
【０００７】
本発明は、かかる事情に鑑みてなされたものであり、実際に撮影した累積撮影駒数と目標撮影駒数との乖離を容易に把握することができ、キメ細かく撮影駒数の目標管理を行うことのできる撮像装置を提供することを目標とする。
【課題を解決するための手段】
【０００８】
上記課題を解決するための、本発明に係る請求項１に記載の撮像装置は、所定期間内における目標撮影駒数を設定する設定手段と、実際に撮影した累積撮影駒数を記録する記録手段と、上記記録手段に記録された累積撮影駒数の、上記設定手段により設定された目標撮影駒数に対する達成度を認識可能にする情報を表示する表示手段とを備えた。
【０００９】
また本発明に係る請求項２に記載の撮像装置は、上記記載の発明である撮像装置において、上記設定手段は、撮影被写体の態様又は撮影構図又は撮影条件を分類したカテゴリー毎に目標撮影駒数を設定する。
【００１０】
また本発明に係る請求項３に記載の撮像装置は、上記記載の発明である撮像装置において、上記表示手段は、上記累積撮影駒数及び上記目標撮影駒数を、数字又はグラフにより表示する。
【００１１】
また本発明に係る請求項４に記載の撮像装置は、上記記載の発明である撮像装置において、上記表示手段は、上記累積撮影駒数の上記目標撮影駒数に対する達成率を表示する。
【００１２】
また本発明に係る請求項５に記載の撮像装置は、上記記載の発明である撮像装置において、上記表示手段は、上記累積撮影駒数の上記目標撮影駒数に対する達成度に応じて予め決められた色を所定部位に表示する。
【００１３】
また本発明に係る請求項６に記載の目標管理方法は、予め設定された所定期間内における目標撮影駒数と、実際に撮影した累積撮影駒数とから、上記累積撮影駒数の上記目標撮影駒数に対する達成度を認識可能にする情報を表示して目標管理を行う。
【発明の効果】
【００１４】
本発明によれば、実際に撮影した累積撮影駒数と目標撮影駒数との乖離を容易に把握することができ、キメ細かく撮影駒数の目標管理を行うことができる。
【発明を実施するための最良の形態】
【００１５】
［第１の実施の形態］
本発明の実施の形態では、撮像装置の表示画面に進捗状況を表す表示がされ、撮影者はこの表示を参照することにより進捗状況を的確に把握することができる。
【００１６】
図１は、本発明の第１の実施の形態の撮像装置に表示される進捗画面を示す模式図である。進捗に大巾な遅延が生じている場合は、図１の（１）に示すように、メニュー画面を表示したとき、その背景の色が例えば赤色で表示される。一方、進捗に少しの遅れが生じている場合は、図１の（２）に示すように、メニュー画面を表示したとき、その背景の色が例えば黄色で表示される。
【００１７】
そこで、撮影者が進捗の遅れを把握するために、目標の詳細な進捗状況を表示したときは、図１の（３）に示すように、例えば、目標値、実績値、達成率、残り枚数、残り日数が表示され、それとともに、これまでの撮影実績が推移グラフで表示される。さらに、１１月の目標、２００４年の目標など、別の期間を対象として目標に対する実績を表示することもできる。
【００１８】
図２は、本発明の第１の実施の形態の撮像装置の構成を示す図である。
【００１９】
撮像装置１は、ズームモータ１０、ＡＦモータ１１、絞り駆動部１２、シャッタ駆動部１３、撮影レンズ１０１、撮像部１０２、記録媒体１０３、撮影枚数カウンタ１４、撮影枚数記録部１５、目標記録部１６、ＲＯＭ１７、ＲＯＭ１８、カレンダ時計１９、液晶表示部２０、ＡＦ回路２１、ＡＥ回路２２、ストロボ回路２３、操作部２４、電源回路２５、電池２６及びＣＰＵ２７で構成されている。
【００２０】
ズームモータ１０は、レンズ（不図示）を駆動して倍率を変化させる。ＡＦモータ１１は、レンズを駆動して被写体に合焦させる。絞り駆動部１２は、絞り（不図示）の開口面積を変化させる。シャッタ駆動部１３は、シャッタ（不図示）を開閉させる。撮像部１０２は、被写体像を電気信号に変換する撮像素子と、この撮像素子の出力信号をデジタル画像データに変換する処理回路とを有している。記録媒体１０３は、撮影された画像データを記録するもので、例えばカメラ本体に対して着脱自在のカードメモリである。撮影枚数カウンタ１４は、撮影する毎にカウントをアップする。撮影枚数記録部１５は、計数した撮影枚数を保存する。目標記録部１６は、設定された目標撮影枚数を保存する。
【００２１】
ＲＯＭ１７は、撮像装置１の各機能を実現するためのプログラムを保存する。ＲＯＭ１８は、後述する撮影駒数等の各種データなどを記録するための電気的に書き換え可能な不揮発のメモリである。カレンダ時計１９は、年月日時分を計時する。液晶表示部２０は、メニュー画面、詳細進捗状況などを表示する。ＡＦ回路２１は、自動合焦動作を制御する。ＡＥ回路２２は、自動露出動作を制御する。ストロボ回路２３は、フラッシュ動作を制御する。操作部２４は、目標値の設定、進捗状況表示などの操作を入力するためのインターフェースである。この操作部２４には、十字キー、確認ボタン、メニューボタンなどが設けられている。電源回路２５は、撮像装置１の各部に電源を供給する。電池２６は、交換可能に電源回路２５と接続されている。ＣＰＵ２７は、撮像装置１の各機能を統括して制御する。
【００２２】
続いて、以上のように構成された撮像装置１の動作について説明する。
【００２３】
撮像装置１の目標管理機能を利用しようとする場合は、あらかじめ種々の設定を行う必要がある。ユーザが撮像装置１の電源をＯＮとし、操作部２４のメニューボタン（不図示）を押し、液晶表示部２０に表示されるメニューの内から「目標管理」を選択すると、図３に示す目標管理メニューが表示される。
【００２４】
目標管理メニューからは、「カテゴリの登録・修正」、「（カテゴリ別）目標設定」、「（カテゴリ別）達成状況表示」、「簡単確認モードの設定」、「本日の撮影カテゴリ設定」の各機能を選択することができる。
【００２５】
（１）カテゴリの登録・修正操作
ユーザが目標管理メニューから、操作部２４の十字キーを操作して「カテゴリの登録・修正」を選択すると、図４に示すカテゴリの登録・修正画面３０が表示される。ここで、カテゴリとは、ユーザが撮影に当たって、どのような撮像を得ることを目的としているかを表す分類のことである。例えば、被写体、撮影構図、撮影条件などについての分類が該当する。被写体では、風景、花、虫、動物、山岳、仏像などが該当する。撮影構図では、ポートレート、集合写真などが該当する。撮影条件では、夕景、室内、長時間撮影などが該当する。ユーザはカテゴリを任意に登録することができる。
【００２６】
図４に示す画面では、登録済みのカテゴリである「ポートレート」、「風景」、「動物」が表示されている。また、そのカテゴリ毎に目標値（後述）が設定されている場合は、その設定日が表示されている。新たにカテゴリを登録しようとするときは、ユーザは、十字キー等を利用してカテゴリ「未設定１」を選択する。すると、図５に示す新規カテゴリ入力画面３１が表示される。
【００２７】
新規カテゴリ入力画面３１には、カテゴリ名表示欄３１ａ、キーボード表示欄３１ｂ、決定ボタン３１ｃ及び前ページに戻るボタン３１ｄが表示されている。ユーザが十字キー等を利用して、キーボード欄３１ｂから文字を選択すると、選択された文字がカテゴリ名表示欄３１ａに表示される。そして、決定ボタン３１ｃを押すと、カテゴリ名が新たに登録される。また、前ページに戻るボタン３１ｄを押すと、カテゴリの登録・修正画面３０に戻ることができる。なお、この新規カテゴリ入力画面３１からは、上述と同様の操作によって既に登録されているカテゴリ名を変更することも可能である。
【００２８】
（２）カテゴリ別目標設定操作
ユーザが目標管理メニューから、操作部２４の十字キーを操作して「カテゴリ別目標設定」を選択すると、図６に示すカテゴリ別目標設定画面３２が表示される。ここで、設定する目標値は、撮影駒数である。
【００２９】
図６に示す画面では、登録済みのカテゴリである「ポートレート」、「風景」、「動物」が表示されている。また、そのカテゴリに既に目標値が設定されている場合は、その設定日が表示されている。新たに目標値を登録しようとするときは、ユーザは、十字キー等を利用して所望のカテゴリを選択する。すると、図７に示す目標入力画面３３が表示される。
【００３０】
目標入力画面３３には、管理期間３３ａ、目標駒数設定欄３３ｂ、開始日指定欄３３ｃ、終了日指定欄３３ｄ及び登録ボタン３３ｅが表示されている。ユーザが、例えば管理期間３３ａとして「年次」を選択し、目標駒数設定欄３３ｂに数字で５０００と設定すると、毎年の目標撮影駒数が５０００枚として認識される。更に、この目標管理の開始日あるいは終了日を指定したい場合は、上述と同様の操作で、開始日指定欄３３ｃ、終了日指定欄３３ｄに年月日を入力すれば良い。
【００３１】
また、管理期間は「年次」以外に、「月次」、「週次」、「日次」を選択することができ、更に１つのみでなく複数の管理期間を選択することもできる。また、管理期間として「ユーザ設定」を選択した場合は、ユーザの指定する開始日から終了日の期間において、目標駒数を設定することができる。
【００３２】
そして、ユーザがこれらの設定完了後、登録ボタン３３ｅを押すと目標値が新たに登録される。また、この目標入力画面３３からは、既に登録されている目標値を上述と同様の操作で変更することができる。
【００３３】
なお、このカテゴリ別目標設定操作は、カテゴリの登録・修正操作においてカテゴリの設定、新規追加を行った次のステップとして連続して行えるようにしても良い。
【００３４】
以上の２つの準備操作を行った後は、ユーザが撮影を実行する毎に、目標駒数進捗管理機能が動作する。図８は、撮影動作に伴う目標駒数進捗管理機能の処理手順を示すフロー図である。
【００３５】
ユーザは、撮影を開始するに際して、ステップＳ０１に示す「本日のカテゴリ設定処理」を実行する。
【００３６】
（３）本日の撮影カテゴリ設定操作
ユーザが目標管理メニューから、操作部２４の十字キーを操作して「本日の撮影カテゴリ設定」を選択すると、図９に示す本日の撮影カテゴリ設定画面３４が表示される。本日の撮影カテゴリ設定画面３４では、登録済みのカテゴリである「ポートレート」、「風景」、「動物」が表示されている。そこで、ユーザが十字キー等を利用して対象とするカテゴリを選択する。この設定以降に撮影した画像は、原則として設定されたカテゴリに属する画像として認識される。
【００３７】
なお、撮影した画像をカテゴリに分類する操作は、撮影前だけでなく、撮影後においても実施することができる。撮影後、撮影した画像を液晶表示部２０に表示した状態で、目標管理メニューから、操作部２４の十字キーを操作して「本日の撮影カテゴリ設定」を選択すると、図１０に示す撮影後カテゴリ設定画面３５が表示される。ユーザは、十字キー等を用いてどのカテゴリに該当するかを選択することができる。
【００３８】
なお、一定時間内にカテゴリの選択がされない場合は、撮影後カテゴリ設定画面３５は本日の撮影カテゴリ設定画面３４に切り替わる。また、連写撮影した場合は、連写撮影終了後に、撮影画像を表示してカテゴリを設定することができる。このとき、画像１枚ごとに設定することも、連写画像を一括してカテゴリを設定することも可能である。さらに、一度カテゴリを設定した画像に対して、再度カテゴリを設定することで、カテゴリを変更することができる。
【００３９】
図８に戻り、ステップＳ０２において、撮像装置１では撮影が行われる毎に撮影枚数カウンタ１４が撮影駒数を積算し、撮影枚数記録部１５がその値をＲＯＭ１８に記録する。
【００４０】
その後、ステップＳ０３〜Ｓ０４において、ユーザがメニュー画面の表示を指示したときに、設定された目標が達成されているかどうかを調べる。メニュー画面には、「再生」、「編集」、「メモリカード」、「設定」等の各タブが表示されている。ユーザは、所望のタブを選択して撮像装置１の種々の機能（再生動作、画像編集処理、メモリ操作、設定操作等）を実行するメニュー処理を動作させることができる。
【００４１】
設定された目標が達成されている場合は、ステップＳ０５において、目標が達成されている旨のメッセージをメニュー画面に表示する。一方、目標が達成されていない場合は、上記メッセージは表示されない。そしてステップＳ０６において、メニュー処理の動作が終了した後はステップＳ０２に戻り、次の撮影に備えて待機する。
【００４２】
ステップＳ０７〜Ｓ０８において、ユーザが目標達成状況の表示を指示すると、その表示処理が実行される。
【００４３】
（４）カテゴリ別達成状況表示操作
ユーザが目標管理メニューから、操作部２４の十字キーを操作して「カテゴリ別達成状況表示」を選択すると、図１１に示す表示対象カテゴリ選択画面３６が表示される。表示対象カテゴリ選択画面３６では、登録済みのカテゴリである「ポートレート」、「風景」、「動物」が表示されている。ユーザが十字キー等を利用して対象とするカテゴリを選択すると、画面の右側にサブメニューとして表示を希望する期間が表示される。そこで、このサブメニューから上記期間を選択すると、図１２に示す達成状況表示画面３７が表示される。
【００４４】
図１２では、カテゴリを「ポートレート」、期間を「月次」とした達成状況表示画面３７を示している。達成状況表示画面３７には、推移図３７ａ、達成率表示３７ｂ、先月の状況を見るボタン３７ｃ及び年間の状況を見るボタン３７ｄが表示されている。
【００４５】
推移図３７ａには、撮影駒数が月毎に棒グラフで表示されている。なお、推移図３７ａは、折れ線グラフで表しても良い。達成率表示３７ｂには、当月（１２月）の目標撮影駒数、実績撮影駒数、達成率、残駒数、残日数が表示されている。ユーザはこれらの表示を参照して、残りの撮影の計画を見直すことができるため、無理なく目標を達成することが可能となる。
【００４６】
また、先月の状況を見るボタン３７ｃを押すと、先月の達成率を表示することができる。年間の状況を見るボタン３７ｄを押すと、年間を単位として、達成率を表示することができる。
【００４７】
〔第１の実施の形態のバリエーション〕
バリエーションに係る撮像装置では、メニュー画面の表示方法が第１の実施の形態と異なっている。図１３は、バリエーションに係る、メニュー画面の表示手順を示すフロー図である。
【００４８】
ステップＴ０１において、ユーザは簡単確認モード設定処理を実行する。この簡単確認モード設定は、色別の表示ルールを設定する処理である。
【００４９】
（５）簡易確認モード設定操作
ユーザが目標管理メニューから、操作部２４の十字キーを操作して「簡単確認モード設定」を選択すると、図１４に示す簡単確認モード設定画面３８が表示される。簡単確認モード設定画面３８では、登録済みのカテゴリである「ポートレート」、「風景」、「動物」が表示されている。ユーザが十字キー等を利用して対象とするカテゴリを選択すると、画面の右側にサブメニューとして表示を希望する期間が表示される。そこで、サブメニューから上記期間を選択すると、図１５に示す詳細条件設定画面３９が表示される。
【００５０】
詳細条件設定画面３９には、表示色設定欄３９ａ、表示条件設定欄３９ｂ及び決定ボタン３９ｃが表示されている。ユーザは、表示条件設定欄３９ｂの「α」、「β」に管理したいと考える達成率（割合）を入力する。また、表示色設定欄３９ａに所望の色をパレットから選択して入力する。そして、全てを入力した後、決定ボタン３９ｃを押すと設定が完了する。
【００５１】
図１３に戻り、ステップＴ０２において、ユーザがメニュー画面の表示を指示すると、メニュー画面が表示される。メニュー画面には、「再生」、「編集」、「メモリカード」、「設定」等の各タブが表示されている。ユーザは、所望のタブを選択して撮像装置１の種々の機能（再生動作、画像編集処理、メモリ操作、設定操作等）を実行するメニュー処理を動作させることができる。
【００５２】
このメニュー画面の表示に併せて、ステップＴ０３、Ｔ０５において、本日までの実績達成率を算出して、本日までの予定達成率との差と設定されたα、βとの大小関係を調べる。そして、予定達成率との差がβ以下の場合は、ステップＴ０４において、メニュー画面の背景色を青色（予定通り）とする。予定達成率との差がα〜βの間にある場合は、ステップＴ０６において、メニュー画面の背景色を黄色（要注意）とする。予定達成率との差がα以上の場合は、ステップＴ０７において、メニュー画面の背景色を赤色（大幅遅れ）とする。
【００５３】
図１６は、簡易確認モードの表示イメージを示す図である。この図に示すように、背景色を工程の進捗状況に応じて色替えして表示することにより、ユーザは容易に工程の進捗状況を把握することができる。そして、ユーザは、必要に応じて、詳細を調べるためにカテゴリ別達成状況表示を行うことができる。
【００５４】
図１３に戻り、ステップＴ０８に示すメニュー処理の動作が終了した後は、ステップＴ０２に戻って、次の操作がされるまで待機する。
【００５５】
なお、簡易確認モードでは、メニュー画面の背景色を変化させたが、メニュー画面に限られず、起動画面の背景色を変えても良い。また、撮影モードを示すタグに表された文字の色を変えるものであっても良い。更に、その進捗表示は必ずしも液晶ディスプレイに限定されない。例えば、電源起動時においてランプ表示色を変えても良い。また、撮像装置１の表面に光を発する部位を設け、その光の色で進捗状況を表示するものであっても良い。
【００５６】
〔実施の形態の効果〕
以上説明した各実施の形態によれば、次のような効果を得ることができる。
【００５７】
プロを目指すために、又は技術を磨くために、毎月の撮影目的枚数を設定して撮影する場合がある。従来は、撮影目標駒数と実際の撮影駒数の差を感覚的につかんでいたが、本発明によるとこれをカメラの表示部で定量的に簡単に確認することができる。
【００５８】
また、カテゴリなる概念を導入して、撮影画像をカテゴリに分類して管理するため、カテゴリ毎に撮影目標駒数と実際の撮影駒数の差を定量的に確認することができる。
【００５９】
また、進捗状況に応じて所定部位に表示する色を変えているため、直感的に達成度を把握することができる。
【００６０】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００６１】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００６２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６３】
【図１】本発明の第１の実施の形態の撮像装置に表示される進捗画面を示す模式図。
【図２】撮像装置の構成を示す図。
【図３】目標管理メニューを示す図。
【図４】カテゴリの登録・修正画面を示す図。
【図５】新規カテゴリ入力画面を示す図。
【図６】カテゴリ別目標設定画面を示す図。
【図７】目標入力画面を示す図。
【図８】撮影動作に伴う目標駒数進捗管理機能の処理手順を示すフロー図。
【図９】本日の撮影カテゴリ設定画面を示す図。
【図１０】撮影後カテゴリ設定画面を示す図。
【図１１】表示対象カテゴリ選択画面を示す図。
【図１２】達成状況表示画面を示す図。
【図１３】メニュー画面の表示手順を示すフロー図。
【図１４】簡単確認モード設定画面を示す図。
【図１５】詳細条件設定画面を示す図。
【図１６】簡易確認モードの表示イメージを示す図。
【符号の説明】
【００６４】
１…撮像装置、１４…撮影枚数カウンタ、１５…撮影枚数記録部、１６…目標記録部、２０…液晶表示部、２４…操作部、２７…ＣＰＵ、３０…カテゴリの登録修正画面、３１…新規カテゴリ入力画面、３２…カテゴリ別目標設定画面、３３…目標入力画面、３４…本日の撮影カテゴリ設定画面、３５…撮影後カテゴリ設定画面、３６…表示対象カテゴリ選択画面、３７…達成状況表示画面、３８…簡単確認モード設定画面、３９…詳細条件設定画面。
【図１】
2006243274.tif 000003
【図２】
2006243274.tif 000004
【図３】
2006243274.tif 000005
【図４】
2006243274.tif 000006
【図５】
2006243274.tif 000007
【図６】
2006243274.tif 000008
【図７】
2006243274.tif 000009
【図８】
2006243274.tif 000010
【図９】
2006243274.tif 000011
【図１０】
2006243274.tif 000012
【図１１】
2006243274.tif 000013
【図１２】
2006243274.tif 000014
【図１３】
2006243274.tif 000015
【図１４】
2006243274.tif 000016
【図１５】
2006243274.tif 000017
【図１６】
2006243274.tif 000018